(57)【要約】コンテンツ配信システム（１）は、販売促進の対象となる１の商品（１２）に関する複数種類の情報のそれぞれに対応する複数のコンテンツを記憶するコンテンツ記憶部（６１）と、複数のコンテンツのうちの１のコンテンツを出力する出力部（１８）と、複数のコンテンツに対応する選択入力部（１９）を画面に表示するタッチパネル（１５）と、選択入力部（１９）による入力操作を受け付ける入力受付部（４７）と、選択入力部（１９）の入力操作が行われたときに、この選択入力部（１９）に対応するコンテンツを出力部（１８）により出力する切り換えを行う切換部（４８）を備える。
2019077654.tif 000002
【特許請求の範囲】
【請求項１】
販売促進の対象となる１の商品に関する複数種類の情報のそれぞれに対応する複数のコンテンツを記憶するコンテンツ記憶部と、
前記複数のコンテンツのうちの１のコンテンツを出力する出力部と、
前記複数のコンテンツに対応する選択入力部を画面に表示するタッチパネルと、
前記選択入力部による入力操作を受け付ける入力受付部と、
前記選択入力部の入力操作が行われたときに、この選択入力部に対応する前記コンテンツを前記出力部により出力する切り換えを行う切換部と、
を備えるコンテンツ配信システム。
【請求項２】
一定時間毎にサーバにアクセスするアクセス部と、
前記サーバにアクセスする端末を個々に識別可能な識別情報を前記サーバに送信する識別情報送信部と、
前記送信した識別情報に対応付けられたスケジュールを前記サーバから取得してスケジュールを設定するスケジュール設定部と、
を備える請求項１に記載のコンテンツ配信システム。
【請求項３】
サーバにアクセスするアクセス部と、
前記サーバにアクセスする端末を個々に識別可能な識別情報を前記サーバに送信する識別情報送信部と、
前記送信した識別情報に対応付けられた前記コンテンツを前記サーバからダウンロードして前記コンテンツ記憶部に記憶するダウンロード部と、
を備える請求項１に記載のコンテンツ配信システム。
【請求項４】
現在時刻が前記コンテンツの出力が予定される出力予定期間よりも前のダウンロード予定期間に含まれるか否かを判定するダウンロード期間判定部と、
前記現在時刻が前記ダウンロード予定期間に含まれる場合に、前記コンテンツを前記サーバからダウンロードして前記コンテンツ記憶部に記憶するダウンロード部と、
を備える請求項１に記載のコンテンツ配信システム。
【請求項５】
現在時刻が前記コンテンツの出力が予定される出力予定期間の経過後であるか否かを判定する出力終了判定部と、
前記現在時刻が前記出力予定期間の経過後である場合に、この出力予定期間に対応する前記コンテンツを前記コンテンツ記憶部から消去する消去部と、
を備える請求項１に記載のコンテンツ配信システム。
【請求項６】
前記選択入力部の入力操作が行われたときに、この選択入力部に対応する前記コンテンツが選択された回数をカウントするカウント部と、
それぞれの前記コンテンツが選択された回数を特定可能な情報をサーバに送信する選択回数送信部と、
を備える請求項１に記載のコンテンツ配信システム。
【請求項７】
前記選択入力部の入力操作が行われたときに、この選択入力部に対応する前記コンテンツが選択された時刻を記憶する選択時刻記憶部と、
それぞれの前記コンテンツが選択された時刻を特定可能な情報をサーバに送信する選択時刻送信部と、
を備える請求項１に記載のコンテンツ配信システム。
【請求項８】
前記タッチパネルの正面に居る人を撮影するカメラと、
前記人の画像に含まれる前記人の顔の部分を顔認識アルゴリズムに基づいて解析して前記人を個々に識別可能な顔認識部と、
前記タッチパネルの正面に一定時間以上居た前記人の数を特定可能な情報をサーバに送信する人数送信部と、
を備える請求項１に記載のコンテンツ配信システム。
【請求項９】
複数の前記選択入力部を予め定められた順序で並べて前記タッチパネルの画面に表示する表示制御部と、
前記選択入力部の入力操作が行われたときに、この選択入力部に対応する前記コンテンツが選択された回数をカウントするカウント部と、
それぞれの前記選択入力部に対応する前記コンテンツを前記コンテンツが選択された回数に基づいて変更する変更部と、
を備える請求項１に記載のコンテンツ配信システム。
【請求項１０】
前記コンテンツの画像が表示される１のメイン表示部と前記メイン表示部よりも表示面積が小さい複数の前記選択入力部とを前記タッチパネルの画面に表示する表示制御部を備える請求項１に記載のコンテンツ配信システム。
【請求項１１】
第１商品に関するコンテンツの出力が予定される第１出力予定期間に、前記第１商品とは異なる第２商品に関するコンテンツをサーバからダウンロードして前記コンテンツ記憶部に記憶するダウンロード部を備える請求項１に記載のコンテンツ配信システム。
【請求項１２】
前記複数のコンテンツが、１のメインコンテンツと前記メインコンテンツよりも再生時間が短い複数のサブコンテンツとから成り、
前記切換部が、前記出力部により前記サブコンテンツを出力した後に、前記メインコンテンツを前記出力部により出力する切り換えを行う請求項１に記載のコンテンツ配信システム。
【請求項１３】
前記商品の近傍に設置されて前記コンテンツを出力する端末とインターネットを介して複数の前記端末からアクセスされるサーバとを備えるコンテンツ配信システムであって、
前記サーバは、
前記端末に対応するスケジュールの設定の入力操作を受け付けるスケジュール受付部と、
前記設定されたスケジュールを、前記端末を個々に識別可能な識別情報に対応付けて記憶するスケジュール記憶部と、
前記インターネットを介してアクセスしてきた前記端末から前記識別情報を受信する識別情報受信部と、
前記識別情報に対応付けられたスケジュールを前記端末に取得させる認証を行う認証部と、
を備える請求項１に記載のコンテンツ配信システム。
【請求項１４】
販売促進の対象となる１の商品に関する複数種類の情報のそれぞれに対応する複数のコンテンツを記憶するステップと、
前記複数のコンテンツのうちの１のコンテンツを出力部により出力するステップと、
前記複数のコンテンツに対応する選択入力部をタッチパネルの画面に表示するステップと、
前記選択入力部による入力操作を受け付けるステップと、
前記選択入力部の入力操作が行われたときに、この選択入力部に対応する前記コンテンツを前記出力部により出力する切り換えを行うステップと、
を含むコンテンツ配信方法。
【発明の詳細な説明】
【技術分野】
【０００１】
本発明の実施形態は、店舗に展示される商品の近傍に端末を配置し、この端末を用いて商品の販売促進に用いるコンテンツを配信するコンテンツ配信技術に関する。
【背景技術】
【０００２】
従来、展示されている商品の近傍にモニタを設置し、このモニタにテレビショッピング用として撮影および編集された商品に関する実演の映像を表示することで、消費者の購買意欲を喚起させるものがある。
【先行技術文献】
【特許文献】
【０００３】
【特許文献１】特開２００１−３３１１３７号公報
【発明の概要】
【発明が解決しようとする課題】
【０００４】
商品とともに並べられたモニタには、予め決められた実演の映像のみが表示されるので、消費者が欲している情報が得られない場合がある。消費者が商品について詳しく知りたいときには、店員に質問する必要があるが、店員が傍に居なかったり、店員が商品について知らなかったりすると、即座に対応ができないという課題がある。【０００５】
本発明の実施形態は、このような事情を考慮してなされたもので、店舗に展示されている商品に関して、消費者が特に知りたい情報を即座に得ることができるコンテンツ配信技術を提供することを目的とする。
【課題を解決するための手段】
【０００６】
本発明の実施形態に係るコンテンツ配信システムは、販売促進の対象となる１の商品に関する複数種類の情報のそれぞれに対応する複数のコンテンツを記憶するコンテンツ記憶部と、前記複数のコンテンツのうちの１のコンテンツを出力する出力部と、前記複数のコンテンツに対応する選択入力部を画面に表示するタッチパネルと、前記選択入力部による入力操作を受け付ける入力受付部と、前記選択入力部の入力操作が行われたときに、この選択入力部に対応する前記コンテンツを前記出力部により出力する切り換えを行う切換部と、を備える。【０００７】
本発明の実施形態に係るコンテンツ配信システムは、一定時間毎にサーバにアクセスするアクセス部と、前記サーバにアクセスする端末を個々に識別可能な識別情報を前記サーバに送信する識別情報送信部と、前記送信した識別情報に対応付けられたスケジュールを前記サーバから取得してスケジュールを設定するスケジュール設定部と、を備える。【０００８】
本発明の実施形態に係るコンテンツ配信システムは、サーバにアクセスするアクセス部と、前記サーバにアクセスする端末を個々に識別可能な識別情報を前記サーバに送信する識別情報送信部と、前記送信した識別情報に対応付けられた前記コンテンツを前記サーバからダウンロードして前記コンテンツ記憶部に記憶するダウンロード部と、を備える。【０００９】
本発明の実施形態に係るコンテンツ配信システムは、現在時刻が前記コンテンツの出力が予定される出力予定期間よりも前のダウンロード予定期間に含まれるか否かを判定するダウンロード期間判定部と、前記現在時刻が前記ダウンロード予定期間に含まれる場合に、前記コンテンツを前記サーバからダウンロードして前記コンテンツ記憶部に記憶するダウンロード部と、を備える。【００１０】
本発明の実施形態に係るコンテンツ配信システムは、現在時刻が前記コンテンツの出力が予定される出力予定期間の経過後であるか否かを判定する出力終了判定部と、前記現在時刻が前記出力予定期間の経過後である場合に、この出力予定期間に対応する前記コンテンツを前記コンテンツ記憶部から消去する消去部と、を備える。【００１１】
本発明の実施形態に係るコンテンツ配信システムは、前記選択入力部の入力操作が行われたときに、この選択入力部に対応する前記コンテンツが選択された回数をカウントするカウント部と、それぞれの前記コンテンツが選択された回数を特定可能な情報をサーバに送信する選択回数送信部と、を備える。【００１２】
本発明の実施形態に係るコンテンツ配信システムは、前記選択入力部の入力操作が行われたときに、この選択入力部に対応する前記コンテンツが選択された時刻を記憶する選択時刻記憶部と、それぞれの前記コンテンツが選択された時刻を特定可能な情報をサーバに送信する選択時刻送信部と、を備える。【００１３】
本発明の実施形態に係るコンテンツ配信システムは、前記タッチパネルの正面に居る人を撮影するカメラと、前記人の画像に含まれる前記人の顔の部分を顔認識アルゴリズムに基づいて解析して前記人を個々に識別可能な顔認識部と、前記タッチパネルの正面に一定時間以上居た前記人の数を特定可能な情報をサーバに送信する人数送信部と、を備える。【００１４】
本発明の実施形態に係るコンテンツ配信システムは、複数の前記選択入力部を予め定められた順序で並べて前記タッチパネルの画面に表示する表示制御部と、前記選択入力部の入力操作が行われたときに、この選択入力部に対応する前記コンテンツが選択された回数をカウントするカウント部と、それぞれの前記選択入力部に対応する前記コンテンツを前記コンテンツが選択された回数に基づいて変更する変更部と、を備える。【００１５】
本発明の実施形態に係るコンテンツ配信システムは、前記コンテンツの画像が表示される１のメイン表示部と前記メイン表示部よりも表示面積が小さい複数の前記選択入力部とを前記タッチパネルの画面に表示する表示制御部を備える。【００１６】
本発明の実施形態に係るコンテンツ配信システムは、第１商品に関するコンテンツの出力が予定される第１出力予定期間に、前記第１商品とは異なる第２商品に関するコンテンツをサーバからダウンロードして前記コンテンツ記憶部に記憶するダウンロード部を備える。【００１７】
本発明の実施形態に係るコンテンツ配信システムにおいて、前記複数のコンテンツが、１のメインコンテンツと前記メインコンテンツよりも再生時間が短い複数のサブコンテンツとから成り、前記切換部が、前記出力部により前記サブコンテンツを出力した後に、前記メインコンテンツを前記出力部により出力する切り換えを行う。【００１８】
本発明の実施形態に係るコンテンツ配信システムは、前記商品の近傍に設置されて前記コンテンツを出力する端末とインターネットを介して複数の前記端末からアクセスされるサーバとを備えるコンテンツ配信システムであって、前記サーバは、前記端末に対応するスケジュールの設定の入力操作を受け付けるスケジュール受付部と、前記設定されたスケジュールを、前記端末を個々に識別可能な識別情報に対応付けて記憶するスケジュール記憶部と、前記インターネットを介してアクセスしてきた前記端末から前記識別情報を受信する識別情報受信部と、前記識別情報に対応付けられたスケジュールを前記端末に取得させる認証を行う認証部と、を備える。【００１９】
本発明の実施形態に係るコンテンツ配信方法は、販売促進の対象となる１の商品に関する複数種類の情報のそれぞれに対応する複数のコンテンツを記憶するステップと、前記複数のコンテンツのうちの１のコンテンツを出力部により出力するステップと、前記複数のコンテンツに対応する選択入力部をタッチパネルの画面に表示するステップと、前記選択入力部による入力操作を受け付けるステップと、前記選択入力部の入力操作が行われたときに、この選択入力部に対応する前記コンテンツを前記出力部により出力する切り換えを行うステップと、を含む。
【図面の簡単な説明】
【００２０】
【図１】コンテンツ配信システムの全体構成を示す図。
【図２】管理サーバおよび店舗端末のシステム構成を示すブロック図。
【図３】店舗端末の端末制御部のシステム構成を示すブロック図。
【図４】店舗端末の端末記憶装置のシステム構成を示すブロック図。
【図５】店舗における店舗端末の設置態様を示す斜視図。
【図６】コンテンツを出力中の店舗端末の画面を示す図。
【図７】コンテンツの構成を示す説明図。
【図８】管理サーバの端末管理画面を示す図。
【図９】（Ａ）は配信管理テーブル、（Ｂ）は端末管理テーブルを示す説明図。
【図１０】（Ａ）はコンテンツ管理テーブル、（Ｂ）はお知らせ管理テーブルを示す説明図。
【図１１】（Ａ）は選択回数情報テーブル、（Ｂ）は視聴人数情報テーブルを示す説明図。
【図１２】選択入力操作とコンテンツの出力パターンの関係を示す説明図。
【図１３】ダウンロード予定期間と出力予定期間の関係を示す説明図。
【図１４】コンテンツの制作および配信作業を示すフローチャート。
【図１５】管理サーバの端末管理処理を示すフローチャート。
【図１６】店舗端末のメイン制御処理を示すフローチャート。
【図１７】店舗端末の定期アクセス処理を示すフローチャート。
【図１８】店舗端末のダウンロード処理を示すフローチャート。
【図１９】店舗端末のコンテンツ出力処理を示すフローチャート。
【図２０】店舗端末のコンテンツ消去処理を示すフローチャート。
【発明を実施するための形態】
【００２１】
本実施形態のコンテンツ配信システムについて図１から図２０を用いて説明する。図１の符号１は、コンテンツ配信システムである。コンテンツ配信システム１は、コンテンツ配信会社２に設置される管理サーバ３と、店舗４に配置される店舗端末５を備える。本実施形態の店舗端末５は、タブレット型端末を例示する。なお、以下の説明において、店舗端末５の所有権と、配信対象となるコンテンツの著作権は、コンテンツ配信会社２が有しているものとして説明する。
【００２２】
図１に示すように、店舗端末５が設置される店舗４は、コンテンツ配信会社２から離れた遠隔地に設けられる。なお、店舗４は、複数であっても良い。さらに、１つの店舗４に複数台の店舗端末５が設置されても良い。店舗端末５は、各店舗４が管理するＬＡＮ６に接続される。各店舗４のＬＡＮ６は、ファイヤーウォール機能を有するルータ７を介してインターネット８に接続される。なお、店舗４に構築されるＬＡＮ６は、有線ＬＡＮであっても良いし、無線ＬＡＮであっても良い。また、有線ＬＡＮに無線ルータを接続し、この無線ＬＡＮを用いて店舗端末５が接続されて良い。
【００２３】
管理サーバ３は、インターネット８に接続される。つまり、店舗端末５は、インターネット８を介して管理サーバ３に接続することができる。なお、管理サーバ３には、予め決められた固定のＩＰアドレスが割り当てられている。この管理サーバ３のＩＰアドレスは、店舗端末５に予め記憶されており、店舗端末５は、任意に管理サーバ３にアクセスすることができる。なお、店舗端末５から管理サーバ３にアクセスする態様のみで、管理サーバ３から店舗端末５にアクセスする必要はない。管理サーバ３は、店舗端末５を用いて出力（再生）されるコンテンツを蓄積し、各店舗端末５にインターネット８を介して配信を行う。
【００２４】
なお、各店舗端末５により出力されるコンテンツは、動画でも良いし、静止画でも良いし、音声でも良いし、文字情報でも良いし、これらの組み合わせたものであっても良い。本実施形態の動画という用語には、動画とともに出力される音声も含まれる。つまり、動画を表示（出力）するという用語には、動画ととともに音声を出力することも含まれる。
【００２５】
本実施形態では、一定時間毎（例えば、５分毎）の定期アクセス時に、店舗端末５が管理サーバ３にアクセスする。この定期アクセス時に、店舗端末５は、対応するスケジュールを取得する。なお、本実施形態のスケジュールには、店舗端末５を用いて出力するコンテンツを管理サーバ３からダウンロードするためのダウンロード予定期間と、ダウンロードしたコンテンツを店舗端末５にて出力するための出力予定期間と、店舗端末５の起動および停止の時刻とを含む。さらにその他のスケジュールが含まれていても良い。
【００２６】
これらのスケジュールに基づいて、店舗端末５の動作が制御される。つまり、管理サーバ３から取得するスケジュールには、店舗端末５の制御情報（コマンド情報）が含まれる。また、スケジュールは、それぞれの店舗端末５に対応したスケジュールであっても良いし、グループ毎または店舗毎に対応したスケジュールであっても良い。
【００２７】
店舗端末５は、管理サーバ３から取得したスケジュールにより設定される起動時刻になったら自動的に起動される。また、ダウンロード予定期間である場合には、店舗端末５は、対応するコンテンツのダウンロードを行う。また、出力予定期間である場合には、店舗端末５は、対応するコンテンツの出力を行う。また、店舗端末５は、停止時刻になったら自動的に停止（シャットダウン）される。このように、本実施形態において、それぞれの店舗端末５の動作は、コンテンツ配信会社２により管理される。つまり、各店舗４の店員が店舗端末５の管理を行う必要がない。各店舗４では、コンテンツ配信会社２の従業員が店舗端末５を店舗４に設置し、その後に店舗４の店員が何ら操作を行わなくても、自動的にコンテンツの配信を行うことができる。
【００２８】
コンテンツ配信会社２は、テレビ局９を介して放送されるテレビショッピング用の番組を制作する番組制作部１０と、この番組を再編集したものを各店舗端末５に向けて配信する店舗端末配信部１１と、インターネット８を介してネット配信するネット配信部８０とを有する。本実施形態では、テレビショッピング用の番組を店舗端末５で利用できるように再編集したコンテンツ（動画）を配信する。
【００２９】
テレビショッピングは、販売促進の対象となる商品１２（図５参照）を、テレビ放送を通じて紹介し、電話などで視聴者から注文を受け付ける通信販売の形態である。消費者は、自宅に居ながらにして商品１２を入手できるため便利である。このようにテレビショッピングで宣伝された商品１２は、その売り上げの向上が見込めるので、各店舗４でも商品１２を販売するようになる。
【００３０】
店舗４に商品１２が陳列されている場合に、消費者が商品１２について詳しく知りたいときがある。このようなときに、店舗４の店員に質問しても、店員が商品について知らなかったりすると、詳しい情報が得られない。従来技術では、テレビショッピングの番組で提供される情報量を店頭で得ることは困難である。そこで、店舗４に店舗端末５を設置することで、消費者が商品１２について詳しい情報を得ることができるようにする。
【００３１】
本実施形態において、店舗端末配信部１１は、消費者の商品１２に対する疑問点に答えるためのコンテンツを制作して配信する部署である。また、ネット配信部８０は、ネット配信用のコンテンツを専門に制作して配信する部署である。
【００３２】
なお、店舗端末配信部１１は、各店舗４に設置された店舗端末５にコンテンツを配信するために設けられる。一方、ネット配信部８０は、店舗端末５以外の端末（例えば、パソコン）などにコンテンツを配信するために設けられる。ここで、ネット配信部８０が配信を行う場合に、自社のＷＥＢサーバ（図示略）を用いてコンテンツを配信しても良いし、他社のＷＥＢサーバ（図示略）を用いてコンテンツを配信しても良い。また、ネット配信部８０が配信の対象とする端末は、各店舗４に設置された端末でも良いし、一般家庭に設置された端末でも良い。さらに、ネット配信部８０が配信を行う場合には、コンテンツ配信会社２と契約が有るユーザにパスワードなどの認証情報を予め通知しておく。そして、これらのユーザからアクセスがあった場合に、認証情報を用いた認証を行い、許可されたユーザのみに配信を行うようにしても良い。
【００３３】
図５に示すように、所定の陳列台１３に商品１２が陳列されている場合に、その商品１２の近傍に店舗端末５を設置する。例えば、陳列台１３の各棚には、化粧箱に収められた商品１２が設置される。さらに、陳列台１３の最上段の棚には、商品１２のサンプルと店舗端末５が配置される。そして、商品１２の購入を希望する消費者は、陳列台１３の各棚に設置された化粧箱に収容された商品１２をレジに持って行くようにする。なお、店舗端末５は、所定の保持台１４を用いて、立てた状態で置いておく。消費者は、置いてある店舗端末５のタッチパネル１５の画面に触れて操作を行う、所謂タッチ操作を行うことができる。
【００３４】
なお、店舗端末５の正面側には、メインスイッチ１６が設けられているが、このメインスイッチ１６の入力操作の受付機能を無効にしておく。また、ＵＳＢコネクタ（図示略）などのコンテンツの出力に直接関係のないデバイスの機能も無効にしておく。これらの無効にした機能を有効化するためには、コンテンツ配信会社２が設定した解除コードを入力する必要があるようにしておく。
【００３５】
このようにすれば、店舗端末５が不用意に操作されることがない。また、店舗端末５に記憶されたコンテンツが不正にコピーされるおそれがなくなる。また、店舗端末５の正面側には、タッチパネル１５の正面に居る人を撮影するカメラ１７が設けられている。このカメラ１７を用いて常時撮影を行う。この常時撮影を行うことで、店舗端末５を用いて商品１２の万引きなどの犯罪を防止することができる。なお、店舗端末５にＧＰＳ受信機を搭載して位置を常時監視しても良い。
【００３６】
なお、従来、商品の横にＴＶモニタなどを設置し、このＴＶモニタを用いて商品説明をする動画を再生することは、既に広く行われている。また、インターネットを介して映像を配信することも、既に広く行われている。これに対して、本実施形態の店舗端末５は、単に説明用の動画を再生する技術とは全く異なり、モニタの前に居る消費者のニーズに合った情報を適宜提案し、さらに消費者の質問にすみやかに、かつ完璧にお答えする機能を目指した端末である。つまり、本実施形態のコンテンツ配信システム１は、単なる映像モニタの技術ではなく、多くのオリジナルの技術を有する。
【００３７】
図６に示すように、タッチパネル１５の画面には、コンテンツの画像が表示される１のメイン表示部１８（出力部）と、このメイン表示部１８よりも表示面積が小さい５つ（複数）の選択入力部１９（選択入力ボタン）が表示される。本実施形態では、画面の右側に５つの選択入力部１９が上下方向に並んで配置される。この選択入力部１９の左側にメイン表示部１８が配置される。さらに、メイン表示部１８の下方には、お知らせ内容を表示するお知らせ表示部２０が設けられる。また、お知らせ表示部２０の下方には、店員呼出ボタン２１と音声認識ボタン２２とが設けられる。
【００３８】
メイン表示部１８は、店舗端末５に記憶された複数のコンテンツのうちの１のコンテンツを表示する。本実施形態では、販売促進の対象となる１種類の商品１２に対して、複数のコンテンツが制作される。この複数のコンテンツは、１のメインコンテンツと、このメインコンテンツよりも再生時間が短い複数のサブコンテンツとから成る。例えば、メインコンテンツは、テレビショッピングで用いた動画と同じ３０分程度の再生時間を有する。一方、それぞれのサブコンテンツは、商品１２を詳しく紹介するための短い動画などで構成されるものであって、それぞれ３分程度の再生時間を有する。
【００３９】
なお、以下の説明において、１種類の商品１２に対応する複数のコンテンツを、コンテンツ群と称する場合がある。１つの店舗端末５には、複数種類の商品１２のそれぞれに対応する複数のコンテンツ群が記憶される。これらのコンテンツ群は、ダウンロード予定期間に応じて管理サーバ３からダウンロードされ、出力予定期間に応じて店舗端末５で出力（再生）される。なお、それぞれのコンテンツ群は、別個の期間にダウンロードまたは出力される。つまり、各コンテンツ群に対応する各ダウンロード予定期間が重複しないとともに、各出力予定期間が重複しないようになっている。
【００４０】
選択入力部１９は、消費者がタッチパネル１５をタッチ操作可能なボタンであり、メイン表示部１８に表示されるコンテンツを選択するために設けられている。例えば、メイン表示部１８にメインコンテンツが表示されている場合に、消費者が「使用シーン」を見たいと希望する。その場合に、消費者は、「使用シーン」に対応する選択入力部１９（図６では上から２番目の選択入力部１９）をタッチ操作する。すると、メイン表示部１８に表示される動画が、「使用シーン」のサブコンテンツの動画に切り換る。
【００４１】
なお、消費者が選択したサブコンテンツの選択回数がカウントされる。そして、選択回数の多いサブコンテンツの順に並び換えを行う。例えば、上下方向に並んで配置された５つの選択入力部１９のうち、上から順に選択回数が多いサブコンテンツを並べるようにする。つまり、選択入力部１９が縦方向に並んでいる場合には、選択回数が多いコンテンツを、最上位の選択入力部に対応させる。具体的には、初期の表示態様において、「○○とは？」が最上位の選択入力部１９に対応しているときに、「使用シーン」の選択回数が多い場合には、「使用シーン」を最上位の選択入力部１９に対応するように変更する。このようにすれば、消費者が特に知りたいサブコンテンツは、選択回数が多くなるので、この選択回数に応じて、各選択入力部１９に対応するサブコンテンツを変更することで、消費者が入力操作を行い易くなる。
【００４２】
なお、本実施形態では、選択入力部１９に文字（テキストデータ）が表示されているが、サブコンテンツの動画の一部を利用した画像を、選択入力部１９に表示しても良い。さらに、この選択入力部１９に表示される画像は、静止画のみならず動画であっても良い。
【００４３】
なお、店舗端末５は、店舗４の消費者の動向を集計した集計情報を、一定時間毎（例えば、５分毎）の定期アクセス時に管理サーバ３に送信する。この集計情報には、各サブコンテンツの選択回数、選択時刻、各コンテンツの視聴人数、および視聴時刻などを特定可能な情報が含まれる。
【００４４】
なお、本実施形態では、複数の選択入力部１９が上下方向に並んで配置されているが、複数の選択入力部１９を横方向に並んで配置させても良い。また、５つの選択入力部１９が表示されるものを例示しているが、少なくとも１つの選択入力部１９があれば良い。また、６つ以上の選択入力部１９があっても良い。また、選択入力部１９の数とサブコンテンツの数とが同数であっても良いし、選択入力部１９の数よりもサブコンテンツの数が多くても良い。
【００４５】
図７に示すように、本実施形態では、選択入力部１９の数よりも多い数のサブコンテンツが制作される。また、サブコンテンツは、１の種類の商品１２に関する複数種類の情報のそれぞれに対応している。さらに、サブコンテンツは、選択入力部１９の数と同数の第１階層のサブコンテンツと、これらのコンテンツにそれぞれ対応する第２階層以上のサブコンテンツとから成る。なお、１の種類の商品１２に対応するメインコンテンツは１つとなっている。
【００４６】
また、第１階層のサブコンテンツの種別が第２階層のサブコンテンツの種別に対応している。例えば、第１階層のサブコンテンツが「使用シーン（パターン１）」である場合には、第２階層のサブコンテンツが「使用シーン（パターン２）」、「使用シーン（パターン３）」などに対応する。つまり、１の種別の使用シーンであっても、出演者２３（図６参照）を異ならせたり、シチュエーションを異ならせたりして様々なパターンの使用シーンを予め制作しておく。
【００４７】
第１階層のサブコンテンツは、初期表示において選択入力部１９に対応している。これら第１階層のサブコンテンツのうちのいずれかが選択されると、選択されたサブコンテンツの種別に対応する第２階層のサブコンテンツが選択入力部１９に対応されるようになる。例えば、初期表示の５つの選択入力部１９のうちで「使用シーン（パターン１）」が選択されると、５つの選択入力部１９が「使用シーン（パターン２）」、「使用シーン（パターン３）」などの他のパターンの使用シーンに対応するように変更される。そして、消費者は、他のパターンの使用シーンを選択できるようになる。
【００４８】
なお、消費者が１の種別のサブコンテンツを選択した場合に、他の種別のサブコンテンツを選択入力部１９に対応させる変更を行っても良い。例えば、「使用シーン（パターン１）」が選択された場合に、「ご愛用者の声（パターン１）」、「ご愛用者の声（パターン２）」、または「人気の理由（パターン２）」などを選択入力部１９に対応させる変更を行っても良い。
【００４９】
また、それぞれのサブコンテンツをランダムに選択入力部１９に対応させる変更を行っても良い。さらに、消費者がサブコンテンツを選択するパターンを店舗端末５が学習し、これらの学習に応じて選択入力部１９に対応するサブコンテンツを変更しても良い。また、これらの学習に応じてサブコンテンツの順序の並び換えを行っても良い。つまり、店舗端末５がサブコンテンツの変更または順序の並び換えを行う機械学習部を備えても良い。
【００５０】
図６に示すように、音声認識ボタン２２は、消費者が選択入力部１９のタッチ操作を行わなくても、音声でサブコンテンツの選択を行えるようにするものである。まず、消費者は、音声認識ボタン２２のタッチ操作を行う。そして、消費者が「使用シーンを見たい」と声を発すると、その声を店舗端末５のマイク３８（図２参照）が取得し、この店舗端末５が「使用シーン」の選択入力部１９がタッチ操作されたときと同じ動作を行う。このように、本実施形態の選択入力部は、タッチパネル１５の画面に表示される選択ボタンの態様でなくても良く、マイク３８にて取得した消費者の音声に応じて処理を行うものであっても良い。
【００５１】
また、初期表示において第１階層のサブコンテンツが選択入力部１９に対応している場合に、選択入力部１９に対応していない第２階層のサブコンテンツを音声認識により呼び出せるようにしても良い。
【００５２】
また、消費者は、音声で質問事項を発しても良い。例えば、予め様々な質問事項に対応する音声を店舗端末５が学習し、これらの学習に応じてサブコンテンツの選択ができるようにしても良い。さらに、サブコンテンツの種別に対応していない要求を音声で受け付けても良い。例えば、消費者が、特定の出演者２３のシーンのみを視聴することを希望する場合に、「○○さんの出演シーンが見たい」と声を発すると、特定の出演者２３のシーンが含まれるサブコンテンツが呼び出される態様であっても良い。
【００５３】
なお、マイク３８で取得した消費者の音声の解析は、店舗端末５が備える音声認識部５８（図２参照）が行う。この音声認識部５８は、消費者の音声を音声認識アルゴリズムに基づいて解析する。
【００５４】
また、音声認識部５８は、発話解析および認識インターフェースとしての秘書機能アプリケーションソフトウェアを備えても良い。このソフトウェアは、自然言語処理を用いて、消費者の質問に答えるものである。例えば、消費者が「カラーは何がありますか？」と声で質問した場合に、この音声認識部５８が質問内容を解析して答えを導出し、「赤、白、黒があります。」と音声出力で答えることができる。また、音声認識部５８は、消費者が話している言語がいずれの言語であるか、例えば、日本語であるか、英語であるか、中国語であるかを識別して対応する言語で回答をしても良い。
【００５５】
店員呼出ボタン２１は、消費者が店舗４の店員を呼び出すときに用いる。例えば、消費者が店員呼出ボタン２１のタッチ操作を行うと、店舗端末５からＬＡＮ６を介して、店員が所持する携帯端末（図示略）に通知がなされる。この通知を受けた店員は、商品１２の販売場所に駆けつけて消費者に対応することができる。また、店員呼出ボタン２１のタッチ操作が行われた場合に、店舗端末５から店舗４の管理コンピュータ（図示略）に通知を行っても良い。また、店員呼出ボタン２１のタッチ操作が行われた場合に、店舗端末５が、店員を呼び出すための報知音を出力しても良い。
【００５６】
お知らせ表示部２０は、各店舗４において消費者に報知したい情報を文章（テキストデータ）により表示する。このお知らせ表示部２０に表示される内容は、管理サーバ３にて入力することができる。そして、管理サーバ３からダウンロードされる情報に、お知らせ表示部２０に表示される内容を特定可能な情報が含まれる。
【００５７】
本実施形態では、タッチパネル１５のメイン表示部１８にコンテンツを表示しつつ、他のコンテンツに関する選択入力部１９を表示することができるので、消費者が他のコンテンツを選択する入力操作を行い易くなる。
【００５８】
次に、管理サーバ３または店舗端末５のシステム構成を図２から図４に示すブロック図を参照して説明する。なお、このブロック図に示す構成は一例であり、他の構成が管理サーバ３または店舗端末５に含まれていても良い。
【００５９】
本実施形態の管理サーバ３または店舗端末５は、ＣＰＵ、ＲＯＭ、ＲＡＭ、ＨＤＤ（または不揮発性メモリ）などのハードウェア資源を有し、ＣＰＵが各種プログラムを実行することで、ソフトウェアによる情報処理がハードウェア資源を用いて実現されるコンピュータで構成される。さらに、本実施形態のコンテンツ配信方法は、コンテンツ配信プログラムをコンピュータに実行させることで実現される。
【００６０】
図２に示すように、管理サーバ３は、管理サーバ３を制御するサーバ制御部２４と、端末配信用のコンテンツおよび店舗端末５のスケジュールなどの各種情報を記憶するサーバ記憶装置２５と、店舗端末５とインターネット８を介して通信を行う通信部２６と、現在時刻の取得に用いるリアルタイムクロック２７と、管理者が各種情報の入力操作を行う入力部２８と、各種情報の出力を行う表示部２９を備える。
【００６１】
なお、サーバ制御部２４はＣＰＵなどで構成される。また、サーバ記憶装置２５は、ＨＤＤなどで構成される。また、入力部２８は、キーボードおよびマウスなどで構成される。また、表示部２９は、ディスプレイなどで構成される。
【００６２】
サーバ制御部２４は、メイン制御処理を実行するメイン制御部３０と、各店舗端末５に対応するスケジュールの設定の入力操作を受け付けるスケジュール受付部３１と、インターネット８を介してアクセスしてきた店舗端末５から、各店舗端末５を個々に識別可能な端末ＩＤ（識別情報）受信する端末ＩＤ受信部３２と、端末ＩＤの認証を行う認証部３３を備える。
【００６３】
サーバ記憶装置２５は、端末配信用のコンテンツおよびお知らせ内容などを含む配信情報を記憶する配信情報記憶部３４と、各店舗端末５に対応して設定されたスケジュールを各端末ＩＤに対応付けて記憶するスケジュール記憶部３５と、各店舗端末５から受信した集計情報を記憶する集計情報記憶部３６を備える。
【００６４】
図２に示すように、店舗端末５は、コンテンツの表示および入力操作を受け付けるタッチパネル１５（出力部）と、タッチパネル１５の正面に居る人のカメラ１７と、コンテンツに関する音声を出力するスピーカ３７（出力部）と、音声を取得するマイク３８と、店舗端末５を制御する端末制御部３９と、コンテンツおよびスケジュールなどの各種情報を記憶する端末記憶装置４０と、一定時間毎に管理サーバ３とインターネット８を介して通信を行う通信部４１（アクセス部）と、現在時刻の取得に用いるリアルタイムクロック４２と、店舗端末５の起動を制御する起動制御部４３と、店舗端末５の停止を制御する停止制御部４４を備える。
【００６５】
認証部３３は、端末ＩＤ（識別情報）に対応付けられたスケジュールおよびコンテンツを店舗端末５に取得させるための認証を行う。認証部３３により許可がされた店舗端末５は、端末ＩＤに対応するスケジュールおよびコンテンツを管理サーバ３から取得することができる。一方、認証部３３により許可がされなかった店舗端末５は、管理サーバ３との通信が切断される。本実施形態では、店舗端末５から管理サーバ３にアクセスする通信のみを行うので、店舗端末５が店舗４側のＬＡＮ６内に設けられても、管理サーバ３により店舗端末５のスケジュールの管理を行うことができる。
【００６６】
なお、端末制御部３９はＣＰＵなどで構成される。また、端末記憶装置４０は、不揮発性メモリなどで構成される。また、起動制御部４３は、ＢＩＯＳ（Basic Input/Output System）による制御を含む。また、停止制御部４４は、ＯＳ（Operating System）による制御を含む。
【００６７】
なお、リアルタイムクロック２７，４２（ＲＴＣ）は、現在時刻を示す時刻情報と、日付と曜日とを示すカレンダ情報とを出力する。また、リアルタイムクロック２７，４２は、電源投入時から現在までの時間を積算した起動時間を出力しても良い。さらに、リアルタイムクロック２７，４２は、所定の開始時刻から所定の終了時刻までの時間を積算するタイマー機能を備えても良い。
【００６８】
なお、本実施形態の出力部は、音声を出力するスピーカ３７と、コンテンツに関する画像（メイン表示部１８に表示される画像）を表示するタッチパネル１５との両方で構成されているが、出力部をスピーカ３７とタッチパネル１５とのいずれか一方で構成しても良い。
【００６９】
また、本実施形態のスピーカ３７は、音が拡がる範囲をある一定の方向に制限する指向性スピーカであっても良い。この指向性スピーカを用いることで、店舗端末５の正面に居る消費者にだけ聞こえるように、商品説明用の音声を出力することができる。そのため、店舗端末５の近傍に居る他の人に迷惑をかけずに済むようになる。
【００７０】
図３に示すように、端末制御部３９は、メイン制御処理を実行するメイン制御部４５と、タッチパネル１５の画面に表示する制御を行う表示制御部４６と、タッチパネル１５により選択入力部１９などの入力操作を受け付ける入力受付部４７と、選択入力部１９の入力操作が行われたときに、この選択入力部１９に対応するコンテンツを出力する切り換えを行う切換部４８と、それぞれの選択入力部１９に対応するコンテンツを選択回数に基づいて変更する変更部４９と、コンテンツを管理サーバ３からダウンロードして端末記憶装置４０に記憶するダウンロード部５０と、現在時刻（日付）がダウンロード予定期間に含まれるか否かを判定するダウンロード期間判定部５１と、店舗端末５の稼働状態を管理サーバ３に送信する端末状態送信部５２を備える。
【００７１】
さらに、端末制御部３９は、現在時刻（日付）がコンテンツの出力が予定される出力予定期間の経過後であるか否かを判定する出力終了判定部５３と、不要になったコンテンツを端末記憶装置４０から消去する消去部５４と、それぞれのコンテンツの選択回数を特定可能な集計情報を管理サーバ３に送信する選択回数送信部５５と、それぞれのコンテンツが選択された時刻を特定可能な集計情報を管理サーバ３に送信する選択時刻送信部５６と、カメラ１７で撮影された人の画像に含まれる人の顔の部分を顔認識アルゴリズムに基づいて解析して人を個々に識別可能な顔認識部５７を備える。
【００７２】
さらに、端末制御部３９は、マイク３８で取得した消費者の音声を音声認識アルゴリズムに基づいて解析して質問事項を識別可能な音声認識部５８と、カメラ１７で撮影した画像を顔認識部５７により解析した情報に基づいて、タッチパネル１５の正面に一定時間以上居た消費者の人数を集計し、この集計情報を管理サーバ３に送信する人数送信部５９と、管理サーバ３にアクセスするときに端末ＩＤを送信する端末ＩＤ送信部６０（識別情報送信部）を備える。
【００７３】
端末ＩＤ送信部６０が管理サーバ３に送信する端末ＩＤ（識別情報）は、ハードウェアに一意に割り当てられる物理アドレス（端末番号）である。なお、店舗端末５にインストールされるソフトウェアに個別に割り当てられる情報を端末ＩＤに用いても良いし、ＵＳＢドングルに記憶させた情報を端末ＩＤに用いても良い。
【００７４】
なお、端末ＩＤ送信部６０が管理サーバ３に端末ＩＤを送信するときに、店舗端末５の稼働状態を示す状態情報を送信しても良い。例えば、正常に動作しているか否かを示す情報、コンテンツをダウンロード中であるか否かを示す情報、またはコンテンツを出力中であるか否かを示す情報を含む状態情報を、管理サーバ３に送信しても良い。なお、管理サーバ３は、各店舗端末５から受信した状態情報に基づいて、各店舗端末５の稼働状態を把握することができる。
【００７５】
表示制御部４６は、少なくともメイン表示部１８と選択入力部１９とをタッチパネル１５の画面に表示する制御を行う。ここで、表示制御部４６は、複数の選択入力部１９を予め定められた順序で並べてタッチパネル１５の画面に表示する制御を行う。
【００７６】
顔認識部５７は、カメラ１７により撮影された可視光の画像から人の顔の部分を特定し、公知の顔認識アルゴリズムを用いて多数の人を個々に識別する処理回路である。また、顔認識部５７として顔認識用に特化した集積回路（ＩＣ）を用いても良い。この顔認識部５７には、顔認識アルゴリズムをプログラム化した顔認識プログラムが組み込まれた比較的処理能力に優れたマイクロコンピュータを使用することができる。
【００７７】
図４に示すように、端末記憶装置４０は、販売促進の対象となる１の商品に関する複数種類の情報のそれぞれに対応する複数のコンテンツを記憶するコンテンツ記憶部６１と、端末ＩＤに対応付けられたスケジュールを管理サーバ３から取得してスケジュールを設定するスケジュール設定部６２と、選択入力部１９の入力操作が行われたときに、この選択入力部１９に対応するコンテンツが選択された回数をカウントするカウント部６３と、選択入力部１９の入力操作が行われたときに、この選択入力部１９に対応するコンテンツが選択された時刻を記憶する選択時刻記憶部６４と、タッチパネル１５が出力するコンテンツを視聴した消費者の人数を記憶する視聴人数記憶部６５と、それぞれの消費者がコンテンツを視聴した時刻を記憶する視聴時刻記憶部６６を備える。
【００７８】
スケジュール設定部６２は、管理サーバ３を管理する管理者が入力したスケジュールが設定される。店舗端末５は、一定時間毎に管理サーバ３にアクセスし、この店舗端末５に対応するスケジュールが更新されている場合には、それを取得する。そして、スケジュール設定部６２にスケジュールを設定する。このようにすれば、店舗端末５が店舗４側のＬＡＮ６内に設けられても、管理サーバ３により店舗端末５のスケジュールの管理を行うことができる。また、店舗端末５が設置される店舗４の店員が、店舗端末５を操作してスケジュールの設定を行う必要がなくなる。また、各店舗４に設置される各店舗端末５を個別に操作しなくても、管理サーバ３を用いて一括してスケジュールの更新を行うことができる。
【００７９】
本実施形態では、複数の店舗端末５を、店舗毎または所定のグループ毎に管理することができる。そのため、スケジュールの更新も店舗毎または所定のグループ毎にすることができる。ここで、店舗毎のスケジュールの更新とは、１の店舗４に設置される複数の店舗端末５のスケジュールの更新を一括して行う場合を示す。なお、グループは、例えば、関東または関西などのエリア毎に設定したり、都道府県毎に設定したり、商品毎に設定したりすることができる。このグループ毎のスケジュールの更新とは、１のグループに対応付けられた複数の店舗端末５のスケジュールの更新を一括して行う場合を示す。
【００８０】
カウント部６３は、選択入力部１９のタッチ操作が行われたときに、この選択入力部１９に対応するサブコンテンツの選択回数をカウントアップする。また、このときの選択時刻（例えば、５分毎に区分された時刻）が選択時刻記憶部６４に記憶される。なお、この選択回数と選択時刻とを対応付けてカウント部６３に記憶しても良い。また、顔認識部５７を用いてタッチ操作を行った消費者を個々に識別し、この消費者に関する情報とともにサブコンテンツの選択回数を記憶しても良い。
【００８１】
このようにすれば、サブコンテンツのうち、いずれのサブコンテンツが最も多く選択されているかを集計することができる。また、サブコンテンツが所定の質問事項に対応する場合は、いずれの質問が最も多いのかを集計することができる。
【００８２】
また、選択回数および選択時刻を含む集計情報は、店舗端末５が管理サーバ３にアクセスする度に、選択回数送信部５５を用いて管理サーバ３に送信される。このようにすれば、それぞれのコンテンツに対応する選択回数を管理サーバ３により取得することができるので、消費者が興味を示すコンテンツを把握することができる。また、それぞれのコンテンツの選択時刻を管理サーバ３により把握することができる。例えば、店舗端末５で取得したコンテンツを選択した時刻と、ＰＯＳシステム（販売時点情報管理システム）で取得した販売時点情報とを照合することで、コンテンツの視聴と実際の購買行動との関係を把握することができる。
【００８３】
なお、本実施形態では、店舗端末５は一定時間毎に選択回数を含む集計情報の送信を行っているが、コンテンツが１回選択される度に選択回数の送信を行っても良い。つまり、店舗端末５と管理サーバ３とを常時接続して、コンテンツが選択される度に、その情報が管理サーバ３に送信されるものであっても良い。
【００８４】
本実施形態では、顔認識部５７が店舗端末５にて出力したコンテンツを視聴した消費者を個々に識別することで、コンテンツを視聴した人数をカウントすることができる。例えば、タッチパネル１５の正面に一定時間以上（例えば、３０秒以上）居た人を、コンテンツを視聴した消費者（商品１２に興味を持った消費者）と認定し、その人数をカウントする。この人数は、視聴人数記憶部６５に記憶される。また、このときの視聴時刻（例えば、５分毎に区分された時刻）が視聴時刻記憶部６６に記憶される。なお、この視聴人数と視聴時刻とを対応付けて視聴人数記憶部６５に記憶しても良い。
【００８５】
また、顔認識部５７は、消費者の性別、人種、年齢、表情（感情）、視線の動き、視聴時間などを認識することができる。さらに、視聴人数は、性別または年齢などに対応付けられた情報として視聴人数記憶部６５に記憶させることができる。なお、これらの情報は、視聴されたコンテンツに対応付けて視聴人数記憶部６５に記憶される。さらに、これらの情報を複数のコンテンツのそれぞれに対応付けて記憶しても良い。これらの情報により、店舗端末５により出力される複数のコンテンツのうち、いずれのコンテンツが最も多く視聴されているかを集計することができる。また、コンテンツに対応する商品１２に対する興味の有無を集計することができる。
【００８６】
また、視聴人数を含む集計情報は、店舗端末５が管理サーバ３にアクセスする度に、人数送信部５９を用いて管理サーバ３に送信される。このようにすれば、コンテンツの視聴した人数を管理サーバ３により把握することができる。そのため、コンテンツ配信システム１の店舗端末５を販売促進の対象となる商品１２のマーケティングツールとして利用することができる。
【００８７】
次に、店舗端末５の動作について説明する。図１２（Ａ）に示すように、店舗端末５において、メイン表示部１８およびスピーカ３７を用いてメインコンテンツが出力されているときに、店舗端末５が何らの操作を受けない場合には、メインコンテンツの再生時間が終了後に、再びメインコンテンツの出力が開始される。つまり、メインコンテンツが繰り返し再生される。
【００８８】
本実施形態の店舗端末５が備える切換部４８は、メイン表示部１８およびスピーカ３７を用いてサブコンテンツを出力した後に、メインコンテンツをメイン表示部１８およびスピーカ３７を用いて出力する切り換えを行う。このようにすれば、サブコンテンツの出力中にタッチパネル１５を誰も操作しなかった場合に、自動的にメインコンテンツが出力されるので、商品１２の販売促進を継続することができる。また、再生時間が短いサブコンテンツに商品の内容を詳述する情報を含めることで、消費者が知りたい情報を短時間で得ることができ、商品回転率を向上させることができる。
【００８９】
図１２（Ｂ）に示すように、店舗端末５において、メイン表示部１８およびスピーカ３７を用いてメインコンテンツが出力されているときに、消費者によって選択入力部１９がタッチ操作されると、メインコンテンツの出力が終了し、タッチ操作された選択入力部１９に対応するサブコンテンツ１の出力が開始される。そして、このサブコンテンツ１の出力の終了後に、再びメインコンテンツの出力が開始される。なお、メインコンテンツの出力の再開は、メイコンテンツを最初から開始しても良いし、メイコンテンツの出力が中断された部分から開始しても良い。
【００９０】
図１２（Ｃ）に示すように、店舗端末５において、メイン表示部１８およびスピーカ３７を用いてメインコンテンツが出力されているときに、消費者によって選択入力部１９がタッチ操作されると、メインコンテンツの出力が終了し、タッチ操作された選択入力部１９に対応するサブコンテンツ１の出力が開始される。そして、このサブコンテンツ１が出力されているときに、消費者によって選択入力部１９がタッチ操作されると、このサブコンテンツ１の出力が終了し、タッチ操作された選択入力部１９に対応するサブコンテンツ２の出力が開始される。そして、このサブコンテンツ２の出力の終了後に、再びメインコンテンツの出力が開始される。
【００９１】
図１３に示すように、１の店舗端末５を用いて複数の商品のコンテンツを、それぞれの出力予定期間に応じて出力することができる。例えば、商品Ａの販売促進期間には、この商品Ａの近傍に店舗端末５を設置してコンテンツを出力し、この商品Ａの販売促進期間が終わったら、次の商品Ｂの近傍に店舗端末５を設置してコンテンツを出力することができる。なお、それぞれの商品に対応するコンテンツの出力予定期間が重複しないように設定する。
【００９２】
これらのスケジュールの管理は、店舗４が予めコンテンツ配信会社２に通知しておく。そして、コンテンツ配信会社２では、各コンテンツの出力予定期間に応じて、各コンテンツのダウンロード予定期間を設定する。なお、ダウンロードは、コンテンツ群毎に行われる。つまり、ダウンロードの際は、１の商品に対応する複数のコンテンツが１セットとして取り扱われる。なお、ダウンロード予定期間内であれば、１セットのコンテンツをそれぞれ別個の時刻にダウンロードしても良い。
【００９３】
例えば、商品Ａのコンテンツ群の出力予定期間よりも前に、この商品Ａのダウンロード予定期間が設定される。このダウンロード予定期間は、出力予定期間の１週間前から前日までの期間が設定される。このダウンロード予定期間中に、店舗端末５が商品Ａのコンテンツ群のダウンロードを行う。
【００９４】
このようにすれば、各コンテンツ群の出力予定期間よりも前に、出力予定のコンテンツ群を予めダウンロードすることができる。また、ダウンロード予定期間の任意の時刻にダウンロードを行うので、コンテンツの出力中には、ダウンロードに用いる回線が切れていても良く、回線の状態がコンテンツの出力に影響を与えずに済むようになる。
【００９５】
本実施形態の店舗端末５が備えるダウンロード部５０は、現在時刻（日付）がダウンロード予定期間に含まれる場合に、このダウンロード予定期間に対応するコンテンツ群を管理サーバ３からダウンロードしてコンテンツ記憶部６１に記憶する処理を行う。このようにすれば、店舗端末５が店舗４側のＬＡＮ６内に設けられても、管理サーバ３により店舗端末５のコンテンツ群のダウンロードの管理を行うことができる。また、店舗端末５が設置される店舗４の店員が、店舗端末５を操作してコンテンツ群のダウンロード作業を行う必要がなくなる。
【００９６】
また、ダウンロード部５０は第１商品に関するコンテンツの出力が予定される第１出力予定期間に、第１商品とは異なる第２商品に関するコンテンツを管理サーバ３からダウンロードしてコンテンツ記憶部６１に記憶する処理を行う。このようにすれば、次に出力が予定される第２商品に関するコンテンツのダウンロードを、先の第１商品に関するコンテンツの出力中に行うことができる。そのため、第１商品に関するコンテンツの第１出力予定期間が経過した後に、即座に第２商品に関するコンテンツの出力を開始することができる。
【００９７】
なお、それぞれの商品に対応するコンテンツ群のダウンロード予定期間が重複して設定されても良い。また、複数のダウンロード予定期間が重複している場合であっても、各ダウンロードは、個別に行われる。例えば、商品Ａのコンテンツ群のダウンロード予定期間と、商品Ｂのコンテンツ群のダウンロード予定期間とが重複している場合には、商品Ａのコンテンツ群のダウンロードが終了した後に、商品Ｂのコンテンツ群のダウンロードが開始される。このようにすれば、ネットワークの回線に負荷を掛けずに済むようになる。
【００９８】
また、商品Ｂのコンテンツ群のダウンロード中に何らかのエラーが発生した場合には、再度ダウンロードを行う。そして、商品Ｂのコンテンツの出力予定期間が開始される前には、商品Ｂのコンテンツ群のダウンロードを終了させる。なお、コンテンツ群のダウンロードの配信状態は、管理サーバ３で把握することができるので、エラーが発生した場合にコンテンツ配信会社２の従業員が店舗４に出張してメンテナンスを行うことができる。
【００９９】
商品Ａのコンテンツの出力予定期間が終了すると、この商品Ａのコンテンツは、店舗端末５のコンテンツ記憶部６１から消去される。つまり、店舗端末５が備える消去部５４は、現在時刻（日付）が出力予定期間の経過後である場合に、この出力予定期間に対応するコンテンツ群をコンテンツ記憶部６１から消去する処理を行う。
【０１００】
そして、商品Ｂのコンテンツの出力予定期間が開始されると、商品Ｂのコンテンツの出力が開始される。また、商品Ｂのコンテンツ群のダウンロードの終了後に、この商品Ｂのコンテンツの出力予定期間の次に出力予定期間が設定されている商品Ｃのコンテンツ群がダウンロードされる。本実施形態では、商品Ｂのコンテンツ群のダウンロードが終了するまで、商品Ｃのコンテンツ群のダウンロードを行わずに待機状態となる。なお、商品Ｂのコンテンツは、その出力予定期間が終了すると、店舗端末５のコンテンツ記憶部６１から消去される。そして、商品Ｃのコンテンツの出力が開始される。以後、この動作が繰り返される。
【０１０１】
つまり、店舗端末５が備えるコンテンツ記憶部６１には、２つまたは３つのコンテンツ群が記憶されるのみで、４つ以上のコンテンツ群が記憶されることがない。このようにすれば、店舗端末５に不必要なコンテンツ群が残らないので、コンテンツ記憶部６１の容量を有効に利用することができる。また、例えば、店舗端末５が第三者に持ち出されたとしても、出力予定期間が経過すれば自動的にコンテンツ群が消去されるので、このコンテンツ群が第三者に不正に利用されてしまう事態を抑制し、コンテンツ群の著作権を保護することができる。
【０１０２】
次に、管理サーバ３について説明する。管理サーバ３の管理者は、各コンテンツ群の配信および各店舗端末５の管理を行うことができる。図８に示すように、管理サーバ３の表示部２９に表示される管理画面には、コンテンツの配信スケジュールを管理するための配信管理ボタン６７と、店舗端末５を管理するための端末管理ボタン６８と、コンテンツを管理するためのコンテンツ管理ボタン６９と、お知らせ内容を管理するためのお知らせ管理ボタン７０と、店舗４のスケジュールを管理するための店舗管理ボタン７１と、管理サーバ３の管理者（ユーザ）を管理するためのユーザ管理ボタン７２とが設けられる。
【０１０３】
例えば、端末管理ボタン６８の選択入力操作がなされると、端末管理画面が表示される。この端末管理画面には、各店舗端末５の端末ＩＤ（識別情報）に対応付けて、各店舗端末５が設置される設置店舗４と、各店舗端末５が属するグループ名と、各店舗端末５がダウンロードするコンテンツ名と、各店舗端末５が直近にアクセスした日時を示す更新日時と、コンテンツ群のダウンロード状態と、各店舗端末５が正常に動作しているか否かを示す端末状態とが表示される。また、各店舗端末５のスケジュールなどを編集する編集ボタン７３が設けられている。編集ボタン７３の選択入力操作がなされると、スケジュールの編集画面に切り換る。また、端末管理画面では、店舗毎に検索が可能なプルダウンメニュー７４と、グループ毎に検索が可能なプルダウンメニュー７５とが設けられている。
【０１０４】
図９（Ａ）に示すように、管理サーバ３が備えるスケジュール記憶部３５には、各店舗端末５のダウンロード予定期間および出力予定期間を管理する配信管理テーブルが記憶される。この配信管理テーブルには、各店舗端末５の端末ＩＤ（識別情報）に対応付けて、各店舗端末５が設置される設置店舗４と、各店舗端末５が属するグループ名と、各店舗端末５がダウンロードするコンテンツ名（例えば、対応する商品名）と、このコンテンツに対応するダウンロード予定期間と、このコンテンツに対応する出力予定期間とが記憶される。なお、ダウンロード予定期間または出力予定期間には、日付のみならず時刻を含めて設定しても良い。また、配信管理テーブルには、その他の情報が記憶されても良い。これらの情報は、管理者が任意に編集可能である。
【０１０５】
図９（Ｂ）に示すように、管理サーバ３が備えるスケジュール記憶部３５には、各店舗端末５を管理する端末管理テーブルが記憶される。この端末管理テーブルには、各店舗端末５の端末ＩＤ（識別情報）に対応付けて、各店舗端末５の端末名と、各店舗端末５が設置される設置店舗４と、各店舗端末５が属するグループ名と、各店舗端末５がダウンロードするコンテンツ名（例えば、対応する商品名）と、各店舗端末５が管理サーバ３にアクセスする間隔を示すアクセス間隔と、各店舗端末５の起動時刻と、各店舗端末５の停止時刻とが記憶される。なお、起動時刻また停止時刻には、時刻のみならず曜日または日付を含めて設定しても良い。また、端末管理テーブルには、その他の情報が記憶されても良い。これらの情報は、管理者が任意に編集可能である。
【０１０６】
図１０（Ａ）に示すように、管理サーバ３が備えるスケジュール記憶部３５には、各コンテンツ群を管理するコンテンツ管理テーブルが記憶される。このコンテンツ管理テーブルには、各コンテンツ群を識別可能なコンテンツＩＤに対応付けて、各コンテンツ群のコンテンツ名（例えば、対応する商品名）と、各コンテンツ群の配信期間と、各コンテンツ群の配信状態と、メインコンテンツのファイル名と、サブコンテンツのファイル名とが記憶される。なお、各コンテンツ群の配信期間は、各コンテンツ群がダウンロード可能となる期間であって、店舗端末５毎に設定されるダウンロード予定期間を含み、このダウンロード予定期間よりも充分に長い期間が設定される。また、コンテンツ管理テーブルには、その他の情報が記憶されても良い。これらの情報は、管理者が任意に編集可能である。
【０１０７】
図１０（Ｂ）に示すように、管理サーバ３が備えるスケジュール記憶部３５には、各お知らせ内容を管理するお知らせ管理テーブルが記憶される。このお知らせ管理テーブルには、各お知らせ内容を識別可能なお知らせＩＤに対応付けて、各お知らせ名（例えば、お知らせ内容の要約）と、各お知らせ内容のテキストデータと、各お知らせ内容の配信期間と、各お知らせ内容の配信状態とが記憶される。なお、各お知らせ内容の配信期間は、各お知らせ内容がダウンロードされて店舗端末５で出力される期間である。また、お知らせ内容の配信期間は、コンテンツ群のダウンロード予定期間（配信期間）と別個に設定される。また、お知らせ管理テーブルには、その他の情報が記憶されても良い。これらの情報は、管理者が任意に編集可能である。
【０１０８】
図１１（Ａ）に示すように、管理サーバ３が備える集計情報記憶部３６には、サブコンテンツの選択回数を集計した選択回数情報テーブルが記憶される。この選択回数情報テーブルには、各店舗端末５の端末ＩＤ（識別情報）に対応付けて、各店舗端末５が設置される設置店舗４と、各店舗端末５が属するグループ名と、対応するコンテンツ名（例えば、対応する商品名）と、消費者がタッチパネル１５の選択入力部１９をタッチ操作した選択時刻と、各サブコンテンツに対応する選択回数とが記憶される。これらの情報は、各店舗端末５から一定時間毎（例えば、５分毎）に送信される集計情報に基づいて記憶される。
【０１０９】
図１１（Ｂ）に示すように、管理サーバ３が備える集計情報記憶部３６には、コンテンツの視聴人数を集計した視聴人数情報テーブルが記憶される。この視聴人数情報テーブルには、各店舗端末５の端末ＩＤ（識別情報）に対応付けて、各店舗端末５が設置される設置店舗４と、各店舗端末５が属するグループ名と、対応するコンテンツ名（例えば、対応する商品名）と、消費者がコンテンツを視聴した視聴時刻と、このコンテンツの視聴総人数と、男性の視聴人数と、女性の視聴人数と、視聴した人の年代とが記憶される。これらの情報は、各店舗端末５から一定時間毎（例えば、５分毎）に送信される集計情報に基づいて記憶される。
【０１１０】
これらの情報が管理サーバ３に集約されることで、コンテンツ配信会社２は、各店舗端末５の管理およびコンテンツの配信を統括して行うことができる。また、各店舗４の店員は、店舗端末５の管理およびコンテンツの配信に関わる作業を行わなくて済むようになる。
【０１１１】
次に、コンテンツの制作および配信作業について図１４のフローチャートを用いて説明する。以下のフローチャートの各ステップの説明にて、例えば「ステップＳ１１」と記載する箇所を「Ｓ１１」と略記する。
【０１１２】
図１４に示すように、まず、コンテンツ配信会社２の番組制作部１０では、販売促進の対象となる１の商品１２のテレビショッピング用の番組を制作するための打ち合わせを行う（Ｓ１１）。このとき、出演者２３の決定が成される。なお、出演者２３との契約では、予め使用される映像の期間が定められており、この期間に応じて番組の放送期間およびコンテンツの配信期間なども決定される。
【０１１３】
次に、番組制作部１０は、商品１２について消費者が知りたい事項をリストアップし、テレビショッピングの番組内で出演者２３に対して行う質問事項の検討を行う（Ｓ１２）。なお、この質問事項に対する回答などがサブコンテンツに対応する。次に、番組制作部１０は、検討した質問事項などに応じてテレビショッピングの番組の台本が作成される（Ｓ１３）。
【０１１４】
次に、番組制作部１０は、作成された台本に合わせて番組収録が行われる（Ｓ１４）。次に、番組制作部１０は、対象となる商品１２を詳しく紹介するための商品撮影を行う（Ｓ１５）。次に、番組制作部１０は、実際に商品１２を使用した使用者の感想などの撮影を行う（Ｓ１６）。次に、番組制作部１０は、撮影した映像（動画）をテレビ放送用に編集する（Ｓ１７）。次に、番組制作部１０は、完成したテレビ放送用の映像をテレビ局９に送り、このテレビ局９を介してテレビ放送を行う（Ｓ１８）。
【０１１５】
次に、コンテンツ配信会社２の店舗端末配信部１１では、テレビ放送に用いた映像およびテレビ放送では用いなかった映像を用いて端末配信用の動画を作成する再編集作業を行う（Ｓ１９）。次に、店舗端末配信部１１は、端末配信用の動画の配信を開始する（Ｓ２０）。この配信により店舗端末５に向けてコンテンツがダウンロードされ、かつ再生されるようになる。
【０１１６】
次に、管理サーバ３のサーバ制御部２４または店舗端末５の端末制御部３９が実行する処理について図１５から図２０のフローチャートを用いて説明する。なお、図２に示すブロック図を適宜参照する。また、以下に説明する処理は、一定時間毎に繰り返される処理である。これらの処理が繰り返されることで、コンテンツ配信システム１を用いて、コンテンツ配信方法が実行される。なお、各制御部において他の処理を実行中に、以下に説明する処理を割り込ませて実行しても良い。
【０１１７】
図１５は、管理サーバ３のサーバ制御部２４が実行する端末管理処理である。まず、サーバ制御部２４は、スケジュール受付部３１を用いて各店舗端末５に対応するスケジュールの設定の入力操作、または各コンテンツに対応するスケジュールの設定の入力操作を受け付ける。そして、スケジュールの設定の入力操作があるか否かを判定する（Ｓ２１）。
【０１１８】
ここで、スケジュールの設定の入力操作がない場合（Ｓ２１がＮＯ）は、Ｓ２３に進む。一方、スケジュールの設定の入力操作がある場合（Ｓ２１がＹＥＳ）は、入力されたスケジュールをスケジュール記憶部３５に記憶し（Ｓ２２）、Ｓ２３に進む。
【０１１９】
Ｓ２３にてサーバ制御部２４は、コンテンツの入力があるか否かを判定する。ここで、コンテンツの入力がない場合（Ｓ２３がＮＯ）は、Ｓ２５に進む。一方、コンテンツの入力がある場合（Ｓ２３がＹＥＳ）は、入力されたコンテンツを配信情報記憶部３４に記憶し（Ｓ２４）、Ｓ２５に進む。
【０１２０】
Ｓ２５にてサーバ制御部２４は、店舗端末５からアクセスがあるか否かを判定する。ここで、店舗端末５からアクセスがない場合（Ｓ２５がＮＯ）は、処理を終了する。一方、店舗端末５からアクセスがある場合（Ｓ２５がＹＥＳ）は、アクセスしてきた店舗端末５から送信される端末ＩＤ（識別情報）を端末ＩＤ受信部３２が受信し（Ｓ２６）、Ｓ２７に進む。
【０１２１】
Ｓ２７にてサーバ制御部２４の認証部３３は、受信した端末ＩＤ（識別情報）が正当なものか否か、つまり、管理サーバ３に管理対象として予め登録された端末ＩＤであるか否かを判定する。ここで、認証が許可されなかった場合（Ｓ２７がＮＯ）は、処理を終了する。一方、認証が許可された場合（Ｓ２７がＹＥＳ）は、Ｓ２８に進む。
【０１２２】
Ｓ２８にてサーバ制御部２４は、店舗端末５から集計情報を受信し、この受信した集計情報に基づいて集計情報記憶部３６に記憶された各種テーブルの情報を更新する。なお、この受信した集計情報に基づいてスケジュール記憶部３５に記憶された各種テーブルの情報を更新しても良い。
【０１２３】
次に、サーバ制御部２４は、スケジュール記憶部３５を参照し、受信した端末ＩＤ（識別情報）に対応付けられたスケジュールが更新されているか否か、つまり、受信した端末ＩＤに対応付けられた新しいスケジュールがあるか否かを判定する（Ｓ２９）。ここで、新しいスケジュールがない場合（Ｓ２９がＮＯ）は、Ｓ３１に進む。一方、新しいスケジュールがある場合（Ｓ２９がＹＥＳ）は、新しいスケジュールを店舗端末５に送信し（Ｓ３０）、Ｓ３１に進む。
【０１２４】
Ｓ３１にてサーバ制御部２４は、受信した端末ＩＤ（識別情報）に対応付けられたコンテンツ群であって、ダウンロード予定期間ではあるが、未だダウンロードされていないコンテンツ群があるか否かを判定する。ここで、未ダウンロードのコンテンツ群がない場合（Ｓ３１がＮＯ）は、処理を終了する。一方、未ダウンロードのコンテンツ群がある場合（Ｓ３１がＹＥＳ）は、このコンテンツ群のダウンロードを行う旨の指示を店舗端末５に通知し（Ｓ３２）、処理を終了する。
【０１２５】
図１６は、店舗端末５の端末制御部３９が実行するメイン制御処理である。まず、店舗端末５の端末制御部３９は、一定時間毎（例えば、５分毎）の定期アクセス時に管理サーバ３にアクセスする定期アクセス処理を実行する（Ｓ４１）。
【０１２６】
次に、端末制御部３９のダウンロード部５０は、管理サーバ３からコンテンツ群をダウンロードしてコンテンツ記憶部６１に記憶するダウンロード処理を実行する（Ｓ４２）。次に、端末制御部３９の表示制御部４６および切換部４８は、メイン表示部１８およびスピーカ３７を用いてコンテンツの出力を行うコンテンツ出力処理を実行する（Ｓ４３）。次に、端末制御部３９の消去部５４は、不要になったコンテンツをコンテンツ記憶部６１から消去するコンテンツ消去処理を実行し（Ｓ４４）、処理を終了する。
【０１２７】
図１７は、店舗端末５の端末制御部３９が実行する定期アクセス処理である。まず、店舗端末５の端末制御部３９は、リアルタイムクロック４２を参照し、現在時刻が定期アクセスタイミングであるか否かを判定する（Ｓ５１）。ここで、定期アクセスタイミングでない場合（Ｓ５１がＮＯ）は、処理を終了する。一方、定期アクセスタイミングである場合（Ｓ５１がＹＥＳ）は、通信部４１を介して管理サーバ３にアクセスし（Ｓ５２）する。次に、端末制御部３９の端末ＩＤ送信部６０は、端末ＩＤ（識別情報）を管理サーバ３に送信する（Ｓ５３）。なお、店舗端末５の稼働状態を示す状態情報が端末ＩＤに対応付けて送信される。
【０１２８】
次に、端末制御部３９は、管理サーバ３による認証が許可されたか否かを判定する（Ｓ５４）。ここで、認証が許可されなかった場合（Ｓ５４がＮＯ）は、処理を終了する。一方、認証が許可された場合（Ｓ５４がＹＥＳ）は、店舗端末５で蓄積され、端末記憶装置４０に記憶された情報に基づいて集計された最新の集計情報を管理サーバ３に送信する（Ｓ５５）。なお、集計情報は、選択回数送信部５５、選択時刻送信部５６、人数送信部５９などにより送信される。また、集計情報を管理サーバ３に送信する度に、送信済みの集計情報をクリアしても良い。
【０１２９】
次に、端末制御部３９は、送信した端末ＩＤ（識別情報）に対応付けられた新しいスケジュールが管理サーバ３にあるか否かを判定する（Ｓ５６）。ここで、新しいスケジュールが管理サーバ３にない場合（Ｓ５６がＮＯ）は、Ｓ５９に進む。一方、新しいスケジュールが管理サーバ３にある場合（Ｓ５６がＹＥＳ）は、管理サーバ３から新しいスケジュールを受信し（Ｓ５７）、受信したスケジュールに基づいて、スケジュール設定部６２の設定更新を行い（Ｓ５８）、Ｓ５９に進む。
【０１３０】
Ｓ５９にて端末制御部３９は、送信した端末ＩＤ（識別情報）に対応付けられた未ダウンロードのコンテンツ群があるか否かを判定する。ここで、未ダウンロードのコンテンツ群がない場合（Ｓ５９がＮＯ）は、処理を終了する。一方、未ダウンロードのコンテンツ群がある場合（Ｓ５９がＹＥＳ）は、未ダウンロードのコンテンツ群をダウンロード処理にて実行する設定を行い（Ｓ６０）、処理を終了する。
【０１３１】
図１８は、店舗端末５の端末制御部３９が実行するダウンロード処理である。まず、店舗端末５の端末制御部３９のダウンロード部５０は、コンテンツ群のダウンロードを実行中であるか否かを判定する（Ｓ６１）。ここで、ダウンロードを実行中でない場合（Ｓ６１ががＮＯ）は、後述のＳ６５に進む。一方、ダウンロードを実行中である場合（Ｓ６１がＹＥＳ）は、このダウンロードを継続し（Ｓ６２）、Ｓ６３に進む。
【０１３２】
Ｓ６３にてダウンロード部５０は、コンテンツ群のダウンロードが完了したか否かを判定する。ここで、ダウンロードが完了していない場合（Ｓ６３がＮＯ）は、処理を終了する。一方、ダウンロードが完了した場合（Ｓ６３がＹＥＳ）は、ダウンロードしたコンテンツ群をコンテンツ記憶部６１に記憶し（Ｓ６４）、Ｓ６５に進む。
【０１３３】
Ｓ６５にて端末制御部３９のダウンロード期間判定部５１は、リアルタイムクロック４２を参照し、現在時刻（日付）が、スケジュール設定部６２に設定された所定のコンテンツ群のダウンロード予定期間であるか否かを判定する。ここで、ダウンロード予定期間でない場合（Ｓ６５がＮＯ）は、処理を終了する。一方、ダウンロード予定期間である場合（Ｓ６５がＹＥＳ）は、Ｓ６６に進む。
【０１３４】
Ｓ６６にてダウンロード部５０は、前述の定期アクセス処理にて未ダウンロードのコンテンツ群をダウンロードする設定がなされたか否か、つまり、未ダウンロードのコンテンツ群があるか否かを判定する。ここで、未ダウンロードのコンテンツ群がない場合（Ｓ６６がＮＯ）は、処理を終了する。一方、未ダウンロードのコンテンツ群がある場合（Ｓ６６がＹＥＳ）は、管理サーバ３にアクセスし（Ｓ６７）、端末ＩＤ送信部６０が端末ＩＤ（識別情報）を管理サーバ３に送信する（Ｓ６８）。
【０１３５】
次に、ダウンロード部５０は、管理サーバ３にて認証が許可されたか否かを判定する（Ｓ６９）。ここで、認証が許可されなかった場合（Ｓ６９がＮＯ）は、処理を終了する。一方、認証が許可された場合（Ｓ６９がＹＥＳ）は、未ダウンロードのコンテンツ群のダウンロードを開始し（Ｓ７０）、処理を終了する。
【０１３６】
図１９は、店舗端末５の端末制御部３９が実行するコンテンツ出力処理である。まず、店舗端末５の端末制御部３９の表示制御部４６は、タッチパネル１５の画面にメイン表示部１８の表示を行う（Ｓ７１）。なお、コンテンツを出力中である場合には、そのコンテンツの出力に関する処理を実行する。
【０１３７】
次に、端末制御部３９は、スピーカ３７を用いてコンテンツに関する音声の出力を行う（Ｓ７２）。次に、表示制御部４６は、タッチパネル１５の画面に選択入力部１９の表示を行う（Ｓ７３）。
【０１３８】
次に、端末制御部３９の入力受付部４７は、選択入力部１９のタッチ操作がなされたか否かを判定する（Ｓ７４）。ここで、選択入力部１９のタッチ操作がなされた場合（Ｓ７４がＹＥＳ）は、後述のＳ７７に進む。一方、選択入力部１９のタッチ操作がなされなかった場合（Ｓ７４がＮＯ）は、Ｓ７５に進む。
【０１３９】
Ｓ７５にて入力受付部４７は、音声認識ボタン２２のタッチ操作がなされたか否かを判定する。ここで、音声認識ボタン２２のタッチ操作がなされなかった場合（Ｓ７５がＮＯ）は、後述のＳ８１に進む。一方、音声認識ボタン２２のタッチ操作がなされた場合（Ｓ７５がＹＥＳ）は、マイク３８を介して入力された消費者の音声を認識する音声認識処理を実行し（Ｓ７７）、Ｓ７７に進む。なお、音声認識処理は、音声認識部５８にて実行され、消費者が希望しているサブコンテンツを特定する処理を行う。
【０１４０】
Ｓ７７にて端末制御部３９の切換部４８は、タッチ操作がなされた選択入力部１９に対応するサブコンテンツ、または音声認識部５８にて特定されたサブコンテンツを、メイン表示部１８に表示する切換処理を行う。
【０１４１】
次に、端末制御部３９は、タッチ操作がなされた選択入力部１９に対応するサブコンテンツ、または音声認識部５８にて特定されたサブコンテンツに対応してカウント部６３に記憶された選択回数をカウントアップする（Ｓ７８）。次に、端末制御部３９は、タッチ操作または音声入力がなされた選択時刻を選択時刻記憶部６４に記憶する（Ｓ７９）。
【０１４２】
次に、端末制御部３９の変更部４９は、それぞれの選択入力部１９に対応するサブコンテンツをサブコンテンツが選択された回数に基づいて変更する（Ｓ８０）。例えば、選択回数の多いサブコンテンツの順に並び換えを行う。なお、次に選択される可能性が高い順に並び換えを行っても良い。
【０１４３】
Ｓ８１にて端末制御部３９は、カメラ１７によりタッチパネル１５の正面に居る人を撮影する。次に、端末制御部３９の顔認識部５７は、カメラ１７で撮影された人の画像に含まれる人の顔の部分を顔認識アルゴリズムに基づいて解析して人を個々に識別する顔認識処理を実行する（Ｓ８２）。
【０１４４】
次に、端末制御部３９は、タッチパネル１５の正面に一定時間以上居た消費者の人数を集計し、この視聴人数を視聴人数記憶部６５に記憶する（Ｓ８３）。次に、端末制御部３９は、この視聴人数に対応する視聴時刻を視聴時刻記憶部６６に記憶する（Ｓ８４）。
【０１４５】
次に、端末制御部３９は、カウント部６３、選択時刻記憶部６４、視聴人数記憶部６５、および視聴時刻記憶部６６に記憶された情報に基づいて、管理サーバ３に送信するための集計情報の更新を行う（Ｓ８５）。
【０１４６】
次に、サブコンテンツをメイン表示部１８に表示している場合において、切換部４８は、このサブコンテンツの出力の終了タイミングであるか否かを判定する（Ｓ８６）。ここで、サブコンテンツの出力の終了タイミングでない場合（Ｓ８６がＮＯ）は、Ｓ８８に進む。一方、サブコンテンツの出力の終了タイミングである場合（Ｓ８６がＹＥＳ）は、メイン表示部１８に表示されるコンテンツを、このサブコンテンツからメインコンテンツに切り換える。そして、このメインコンテンツの出力を開始する（Ｓ８７）。
【０１４７】
Ｓ８８にて入力受付部４７は、店員呼出ボタン２１のタッチ操作がなされたか否かを判定する。ここで、店員呼出ボタン２１のタッチ操作がなされなかった場合（Ｓ８８がＮＯ）は、処理を終了する。一方、店員呼出ボタン２１のタッチ操作がなされた場合（Ｓ８８がＹＥＳ）は、店員に対して所定の通知を行う店員呼出処理を実行し（Ｓ８９）、処理を終了する。
【０１４８】
図２０は、店舗端末５の端末制御部３９が実行するコンテンツ消去処理である。まず、店舗端末５の出力終了判定部５３は、リアルタイムクロック４２から現在時刻（日付）を取得し、現在時刻が所定のコンテンツの出力予定期間の経過後であるか否かを判定する。つまり、出力終了判定部５３は、スケジュール設定部６２を参照し、コンテンツ記憶部６１に記憶された各コンテンツ群のうち、出力予定期間が経過したコンテンツ群があるか否かを判定する（Ｓ９１）。
【０１４９】
ここで、出力予定期間が経過したコンテンツ群がない場合（Ｓ９１がＮＯ）は、処理を終了する。一方、出力予定期間が経過したコンテンツ群がある場合（Ｓ９１がＹＥＳ）は、端末制御部３９の消去部５４が、このコンテンツ群をコンテンツ記憶部６１から消去し（Ｓ９２）、処理を終了する。
【０１５０】
なお、本実施形態のフローチャートにおいて、各ステップが直列に実行される形態を例示しているが、必ずしも各ステップの前後関係が固定されるものでなく、一部のステップの前後関係が入れ替わっても良い。また、一部のステップが他のステップと並列に実行されても良い。
【０１５１】
なお、本実施形態のシステムで実行されるプログラムは、ＲＯＭなどに予め組み込んで提供される。もしくは、このプログラムは、インストール可能な形式または実行可能な形式のファイルでＣＤ−ＲＯＭ、ＣＤ−Ｒ、メモリカード、ＤＶＤ、フレキシブルディスク（ＦＤ）などのコンピュータで読み取り可能な非一過性の記憶媒体に記憶されて提供するようにしても良い。
【０１５２】
また、システムで実行されるプログラムは、インターネットなどのネットワークに接続されたコンピュータ上に格納し、ネットワーク経由でダウンロードさせて提供するようにしても良い。また、このシステムは、構成要素の各機能を独立して発揮する別々のモジュールを、ネットワークまたは専用線で相互に接続し、組み合わせて構成することもできる。
【０１５３】
なお、本実施形態では、１の種類の商品１２に対応するメインコンテンツは１つとなっているが、１の種類の商品１２に対応する複数のメインコンテンツを設けても良い。
【０１５４】
なお、本実施形態では、タッチパネル１５の画面にメイン表示部１８と選択入力部１９との両方が表示されるようになっているが、選択入力部１９のみをタッチパネル１５の画面に表示しても良い。
【０１５５】
なお、本実施形態では、メイン表示部１８とスピーカ３７とでコンテンツを出力する出力部が構成されているが、スピーカ３７のみで出力部を構成しても良い。つまり、コンテンツの出力を音声のみで行っても良い。タッチパネル１５は、コンテンツを出力せずに、サブコンテンツの選択操作のみを行うものであっても良い。
【０１５６】
なお、本実施形態では、コンテンツとして動画を例示しているが、文字情報のみのコンテンツであっても良い。
【０１５７】
なお、本実施形態では、１台の管理サーバ３を用いてコンテンツ配信システム１を構成しているが、複数台のサーバを用いても良い。例えば、コンテンツを配信する配信サーバと、各店舗端末５を管理する端末管理サーバとを個別に設けても良い。
【０１５８】
なお、本実施形態では、店舗端末５が出力するコンテンツが管理サーバ３からダウンロードされる構成となっているが、その他の態様であっても良い。例えば、店舗端末５を店舗４に設置する前に、予めコンテンツ記憶部６１にコンテンツを記憶させておいても良い。つまり、店舗端末５をネットワークに接続せずに、スタンドアローンで用いても良い。また、コンテンツ配信会社２の従業員がＵＳＢメモリにコンテンツを記憶し、このＵＳＢメモリを店舗端末５に接続することで、コンテンツをコンテンツ記憶部６１に記憶させても良い。
【０１５９】
なお、店舗４のＬＡＮ６を介して、複数の店舗端末５同士で情報の送受信を行っても良い。例えば、１の店舗端末５を用いて管理サーバ３からダウンロードしたコンテンツを、ＬＡＮ６を介して他の店舗端末５に送っても良い。
【０１６０】
なお、店舗端末５としてタブレット型端末を例示しているが、店舗端末５は、他の態様であっても良い。例えば、店舗端末５がノートＰＣまたはデスクトップＰＣの形態であっても良い。
【０１６１】
なお、店舗端末５では、メイン表示部１８により出力中のコンテンツ以外のコンテンツに対応する選択入力部１９を画面に表示するようにしても良いし、メイン表示部１８により出力中のコンテンツに対応する選択入力部１９を画面に表示して、この選択入力部１９をタッチ操作することで、メイン表示部１８により出力中のコンテンツを最初から再生できるようにしても良い。
【０１６２】
なお、店舗端末５が深層学習部を備えても良い。深層学習部とは、機械学習を行う人工知能（ＡＩ）を備えるコンピュータである。この人工知能が消費者の質問を理解し、それに対する適切な回答を導出しても良い。
【０１６３】
なお、管理サーバ３からダウンロードされるコンテンツ、または、店舗端末５に記憶されるコンテンツを暗号化しても良い。
【０１６４】
なお、店舗端末５のコンテンツ記憶部６１に、商品１２と無関係の所定のコンテンツを記憶しておき、いずれの商品１２の出力予定期間でもない場合に、この所定のコンテンツをタッチパネル１５のメイン表示部１８に表示しても良い。なお、この所定のコンテンツは、設置店舗を紹介する動画などであっても良い。
【０１６５】
なお、店舗端末５において、音声認識によって消費者の質問に答えられない場合に、消費者が所定の操作を行うことでコールセンタに接続されるものであっても良い。例えば、店舗端末５が消費者の質問に答えられない場合に、コールセンタに接続するためのボタンを画面に表示し、このボタンを消費者がタッチ操作することで、コンテンツ配信会社２に居るオペレータ（商品専門家）に接続されるようにする。そして、店舗端末５を用いてテレビ電話（または音声のみの電話）のような形式で、オペレータとインタラクティブで会話をし、オペレータが消費者の質問に答えるようにしても良い。また、店員呼出ボタン２１の替りに、デフォルトでオペレータの呼出ボタンを表示するようにしても良い。
【０１６６】
なお、店舗端末５を店舗内に複数台設置し、それぞれの店舗端末５のカメラ１７を用いて消費者の移動を検出してその情報を所定のデータベースに蓄積することで、店舗内の消費者の導線を分析できるようにしても良い。
【０１６７】
本実施形態のコンテンツ配信システム１は、コンテンツ配信会社２が店舗端末５を遠隔操作することで、店舗端末５が店舗４の店員の役割を代替するものである。店員の替りに店舗端末５が消費者の質問に的確に答えることができる。消費者は、店舗端末５をタッチ操作して必要な情報を得ても良いし、店員呼出ボタン２１を用いて店員を呼び出しても良いし、オペレータの呼出ボタンを用いてコンテンツ配信会社２のオペレータを呼び出しても良い。つまり、消費者が希望する方法で、商品について知りたい情報を即座に得ることができるシステムである。
【０１６８】
本実施形態のコンテンツ配信システム１は、店舗端末５から出力されるコンテンツを、商品の入れ替え、消費者のニーズ、季節、時間に応じて瞬時に入れ替えることができる。
【０１６９】
なお、管理サーバ３が設置されるコンテンツ配信会社２と、店舗端末５が設置される店舗４とが、それぞれ異なる国に設けられていても良い。
【０１７０】
以上説明した実施形態によれば、選択入力部に対応するコンテンツを出力部により出力する切り換えを行う切換部を備えることにより、店舗に展示されている商品に関して、消費者が特に知りたい情報を即座に得ることができる。
【０１７１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【０１７２】
１…コンテンツ配信システム、２…コンテンツ配信会社、３…管理サーバ、４…店舗、５…店舗端末、６…ＬＡＮ、７…ルータ、８…インターネット、９…テレビ局、１０…番組制作部、１１…店舗端末配信部、１２…商品、１３…陳列台、１４…保持台、１５…タッチパネル、１６…メインスイッチ、１７…カメラ、１８…メイン表示部、１９…選択入力部、２０…お知らせ表示部、２１…店員呼出ボタン、２２…音声認識ボタン、２３…出演者、２４…サーバ制御部、２５…サーバ記憶装置、２６…通信部、２７…リアルタイムクロック、２８…入力部、２９…表示部、３０…メイン制御部、３１…スケジュール受付部、３２…端末ＩＤ受信部、３３…認証部、３４…配信情報記憶部、３５…スケジュール記憶部、３６…集計情報記憶部、３７…スピーカ、３８…マイク、３９…端末制御部、４０…端末記憶部、４１…通信部、４２…リアルタイムクロック、４３…起動制御部、４４…停止制御部、４５…メイン制御部、４６…表示制御部、４７…入力受付部、４８…切換部、４９…変更部、５０…ダウンロード部、５１…ダウンロード期間判定部、５２…端末状態送信部、５３…出力終了判定部、５４…消去部、５５…選択回数送信部、５６…選択時刻送信部、５７…顔認識部、５８…音声認識部、５９…人数送信部、６０…端末ＩＤ送信部、６１…コンテンツ記憶部、６２…スケジュール設定部、６３…カウント部、６４…選択時刻記憶部、６５…視聴人数記憶部、６６…視聴時刻記憶部、６７…配信管理ボタン、６８…端末管理ボタン、６９…コンテンツ管理ボタン、７０…お知らせ管理ボタン、７１…店舗管理ボタン、７２…ユーザ管理ボタン、７３…編集ボタン、７４，７５…プルダウンメニュー、８０…ネット配信部。
【図１】
2019077654.tif 000003
【図２】
2019077654.tif 000004
【図３】
2019077654.tif 000005
【図４】
2019077654.tif 000006
【図５】
2019077654.tif 000007
【図６】
2019077654.tif 000008
【図７】
2019077654.tif 000009
【図８】
2019077654.tif 000010
【図９】
2019077654.tif 000011
【図１０】
2019077654.tif 000012
【図１１】
2019077654.tif 000013
【図１２】
2019077654.tif 000014
【図１３】
2019077654.tif 000015
【図１４】
2019077654.tif 000016
【図１５】
2019077654.tif 000017
【図１６】
2019077654.tif 000018
【図１７】
2019077654.tif 000019
【図１８】
2019077654.tif 000020
【図１９】
2019077654.tif 000021
【図２０】
2019077654.tif 000022
【国際調査報告】
2019077654.tif 000023
2019077654.tif 000024
2019077654.tif 000025
2019077654.tif 000026